(57)【要約】【課題】互いに直列に接続された２以上のＬＣフィルタを備えるノイズフィルタであって、漏洩磁束を低減可能なノイズフィルタを提供すること。【解決手段】ノイズフィルタ１０は、基板７０と、基板７０上に形成されたフィルタ回路２０とを備えている。フィルタ回路２０は、互いに直列に接続された２以上のＬＣフィルタ２２を含んでいる。ＬＣフィルタ２２の夫々は、コア３０と、コイル４０と、キャパシタ２６とを備えている。ＬＣフィルタ２２の夫々において、コイル４０は、コア３０に巻回されており、キャパシタ２６は、コイル４０の一端に接続されている。コア３０は、所定方向（Ｘ方向）に沿って並んでいる。所定方向において互いに隣り合う２つのコア３０における励磁方向は、互いに異なっている。【選択図】図２
2022002369.tif 000002
【特許請求の範囲】
【請求項１】
基板と、前記基板上に形成されたフィルタ回路とを備えたノイズフィルタであって、
前記フィルタ回路は、互いに直列に接続された２以上のＬＣフィルタを含んでおり、
前記ＬＣフィルタの夫々は、コアと、コイルと、キャパシタとを備えており、
前記ＬＣフィルタの夫々において、前記コイルは、前記コアに巻回されており、前記キャパシタは、前記コイルの一端に接続されており、
前記コアは、所定方向に沿って並んでおり、
前記所定方向において互いに隣り合う２つの前記コアにおける励磁方向は、互いに異なっている
ノイズフィルタ。
【請求項２】
請求項１記載のノイズフィルタであって、
前記所定方向において互いに隣り合う２つの前記コアにおける前記励磁方向は、互いに逆向きである
ノイズフィルタ。
【請求項３】
請求項１又は請求項２記載のノイズフィルタであって、
前記コアは、互いに同じ形状を有しており、前記基板に対して互いに同じ姿勢を取るようにして、前記所定方向に沿って並んでいる
ノイズフィルタ。
【請求項４】
請求項１から請求項３までのいずれかに記載のノイズフィルタであって、
前記コアの夫々は、トロイダル形状を有している
ノイズフィルタ。
【請求項５】
請求項４記載のノイズフィルタであって、
前記コアの夫々は、前記トロイダル形状の外周を前記基板に向けた姿勢を取っている
ノイズフィルタ。
【請求項６】
請求項１から請求項５までのいずれかに記載のノイズフィルタであって、
前記コイルの夫々は、巻回部と、第１端と、第２端とを有しており、
前記ＬＣフィルタの夫々において、前記巻回部は、前記コアに巻回されており、前記第１端及び前記第２端の夫々は、前記巻回部から引き出されて前記基板に接続されており、
前記コイルは、順コイルと逆コイルとを含んでおり、
前記順コイルの前記巻回部と前記逆コイルの前記巻回部とは、前記所定方向において互いに隣り合っており、
前記順コイルの前記第１端と、前記順コイルの前記第２端と、前記逆コイルの前記第２端と、前記逆コイルの前記第１端とは、前記所定方向において、この順に並んでおり、
前記順コイルの前記第２端は、前記逆コイルの前記第１端に接続されている
ノイズフィルタ。
【請求項７】
請求項１から請求項５までのいずれかに記載のノイズフィルタであって、
前記コイルの夫々は、巻回部と、第１端と、第２端とを有しており、
前記ＬＣフィルタの夫々において、前記巻回部は、前記コアに巻回されており、前記第１端及び前記第２端の夫々は、前記巻回部から引き出されて前記基板に接続されており、
前記コイルは、順コイルと逆コイルとを含んでおり、
前記逆コイルの前記巻回部と前記順コイルの前記巻回部とは、前記所定方向において互いに隣り合っており、
前記逆コイルの前記第２端と、前記逆コイルの前記第１端と、前記順コイルの前記第１端と、前記順コイルの前記第２端とは、前記所定方向において、この順に並んでおり、
前記逆コイルの前記第２端は、前記順コイルの前記第１端に接続されている
ノイズフィルタ。
【請求項８】
請求項１から請求項７までのいずれかに記載のノイズフィルタであって、
前記フィルタ回路は、互いに直列に接続された３以上の前記ＬＣフィルタを有しており、
前記所定方向において互いに隣り合う２つの前記コアのいずれにおいても、前記励磁方向は、互いに異なっている
ノイズフィルタ。
【請求項９】
請求項８記載のノイズフィルタであって、
前記所定方向において互いに隣り合う２つの前記コアのいずれにおいても、前記励磁方向は、互いに逆向きである
ノイズフィルタ。
【請求項１０】
請求項８又は請求項９記載のノイズフィルタであって、
前記コアの全ては、互いに同じ形状を有しており、前記基板に対して互いに同じ姿勢を取るようにして前記所定方向に沿って並んでいる
ノイズフィルタ。
【請求項１１】
請求項１から請求項１０までのいずれかに記載のノイズフィルタであって、
前記ノイズフィルタは、２以上の前記フィルタ回路を備えており、
前記フィルタ回路は、前記所定方向と直交する横方向において互いに並んでいる
ノイズフィルタ。
【請求項１２】
請求項１１記載のノイズフィルタであって、
前記横方向において互いに並んでいる２つの前記フィルタ回路において、前記フィルタ回路のうちの一方の前記コイルは、前記フィルタ回路のうちの他方の前記コイルと、前記横方向において夫々隣り合っており、
前記一方のコイルを備えた前記ＬＣフィルタの夫々は、前記横方向において隣り合う前記他方のコイルを備えた前記ＬＣフィルタと、１つの前記キャパシタを共有しており、
前記一方のコイルの夫々の前記一端に接続された前記１つのキャパシタは、前記横方向において隣り合う前記他方のコイルの前記一端に接続されている
ノイズフィルタ。
【請求項１３】
請求項１から請求項１２までのいずれかに記載のノイズフィルタであって、
前記ノイズフィルタは、シールドケースを備えており、
前記フィルタ回路は、前記シールドケースの内部に収容されている
ノイズフィルタ。
【発明の詳細な説明】
【技術分野】
【０００１】
本発明は、互いに直列に接続された２以上のＬＣフィルタを備えるノイズフィルタに関する。
【背景技術】
【０００２】
例えば、特許文献１には、このタイプのノイズフィルタが開示されている。
【０００３】
特許文献１に開示されたノイズフィルタは、互いに直列に接続された３つのインダクタ対を備えている。インダクタ対の夫々は、互いに並行に接続された２つのインダクタ（コア及びコイル）からなり、キャパシタに接続されている。即ち、特許文献１のノイズフィルタは、互いに直列に接続された２以上のＬＣフィルタを備えている。
【先行技術文献】
【特許文献】
【０００４】
【特許文献１】特開２００９−３８７５２号公報
【発明の概要】
【発明が解決しようとする課題】
【０００５】
特許文献１のようなノイズフィルタを構成すると、コアに生じた磁束がノイズフィルタの外部に漏れて、周辺の電子機器に影響を与えるおそれがある。一方、特許文献１においては、このような漏洩磁束が考慮されていない。
【０００６】
そこで、本発明は、互いに直列に接続された２以上のＬＣフィルタを備えるノイズフィルタであって、漏洩磁束を低減可能なノイズフィルタを提供することを目的とする。
【課題を解決するための手段】
【０００７】
本発明は、第１のノイズフィルタとして、
基板と、前記基板上に形成されたフィルタ回路とを備えたノイズフィルタであって、
前記フィルタ回路は、互いに直列に接続された２以上のＬＣフィルタを含んでおり、
前記ＬＣフィルタの夫々は、コアと、コイルと、キャパシタとを備えており、
前記ＬＣフィルタの夫々において、前記コイルは、前記コアに巻回されており、前記キャパシタは、前記コイルの一端に接続されており、
前記コアは、所定方向に沿って並んでおり、
前記所定方向において互いに隣り合う２つの前記コアにおける励磁方向は、互いに異なっている
ノイズフィルタを提供する。
【０００８】
また、本発明は、第２のノイズフィルタとして、第１のノイズフィルタであって、
前記所定方向において互いに隣り合う２つの前記コアにおける前記励磁方向は、互いに逆向きである
ノイズフィルタを提供する。
【０００９】
また、本発明は、第３のノイズフィルタとして、第１又は第２のノイズフィルタであって、
前記コアは、互いに同じ形状を有しており、前記基板に対して互いに同じ姿勢を取るようにして、前記所定方向に沿って並んでいる
ノイズフィルタを提供する。
【００１０】
また、本発明は、第４のノイズフィルタとして、第１から第３までのいずれかのノイズフィルタであって、
前記コアの夫々は、トロイダル形状を有している
ノイズフィルタを提供する。
【００１１】
また、本発明は、第５のノイズフィルタとして、第４のノイズフィルタであって、
前記コアの夫々は、前記トロイダル形状の外周を前記基板に向けた姿勢を取っている
ノイズフィルタを提供する。
【００１２】
また、本発明は、第６のノイズフィルタとして、第１から第５までのいずれかのノイズフィルタであって、
前記コイルの夫々は、巻回部と、第１端と、第２端とを有しており、
前記ＬＣフィルタの夫々において、前記巻回部は、前記コアに巻回されており、前記第１端及び前記第２端の夫々は、前記巻回部から引き出されて前記基板に接続されており、
前記コイルは、順コイルと逆コイルとを含んでおり、
前記順コイルの前記巻回部と前記逆コイルの前記巻回部とは、前記所定方向において互いに隣り合っており、
前記順コイルの前記第１端と、前記順コイルの前記第２端と、前記逆コイルの前記第２端と、前記逆コイルの前記第１端とは、前記所定方向において、この順に並んでおり、
前記順コイルの前記第２端は、前記逆コイルの前記第１端に接続されている
ノイズフィルタを提供する。
【００１３】
また、本発明は、第７のノイズフィルタとして、第１から第５までのいずれかのノイズフィルタであって、
前記コイルの夫々は、巻回部と、第１端と、第２端とを有しており、
前記ＬＣフィルタの夫々において、前記巻回部は、前記コアに巻回されており、前記第１端及び前記第２端の夫々は、前記巻回部から引き出されて前記基板に接続されており、
前記コイルは、順コイルと逆コイルとを含んでおり、
前記逆コイルの前記巻回部と前記順コイルの前記巻回部とは、前記所定方向において互いに隣り合っており、
前記逆コイルの前記第２端と、前記逆コイルの前記第１端と、前記順コイルの前記第１端と、前記順コイルの前記第２端とは、前記所定方向において、この順に並んでおり、
前記逆コイルの前記第２端は、前記順コイルの前記第１端に接続されている
ノイズフィルタを提供する。
【００１４】
また、本発明は、第８のノイズフィルタとして、第１から第７までのいずれかのノイズフィルタであって、
前記フィルタ回路は、互いに直列に接続された３以上の前記ＬＣフィルタを有しており、
前記所定方向において互いに隣り合う２つの前記コアのいずれにおいても、前記励磁方向は、互いに異なっている
ノイズフィルタを提供する。
【００１５】
また、本発明は、第９のノイズフィルタとして、第８のノイズフィルタであって、
前記所定方向において互いに隣り合う２つの前記コアのいずれにおいても、前記励磁方向は、互いに逆向きである
ノイズフィルタを提供する。
【００１６】
また、本発明は、第１０のノイズフィルタとして、第８又は第９のノイズフィルタであって、
前記コアの全ては、互いに同じ形状を有しており、前記基板に対して互いに同じ姿勢を取るようにして前記所定方向に沿って並んでいる
ノイズフィルタを提供する。
【００１７】
また、本発明は、第１１のノイズフィルタとして、第１から第１０までのいずれかのノイズフィルタであって、
前記ノイズフィルタは、２以上の前記フィルタ回路を備えており、
前記フィルタ回路は、前記所定方向と直交する横方向において互いに並んでいる
ノイズフィルタを提供する。
【００１８】
また、本発明は、第１２のノイズフィルタとして、第１１のノイズフィルタであって、
前記横方向において互いに並んでいる２つの前記フィルタ回路において、前記フィルタ回路のうちの一方の前記コイルは、前記フィルタ回路のうちの他方の前記コイルと、前記横方向において夫々隣り合っており、
前記一方のコイルを備えた前記ＬＣフィルタの夫々は、前記横方向において隣り合う前記他方のコイルを備えた前記ＬＣフィルタと、１つの前記キャパシタを共有しており、
前記一方のコイルの夫々の前記一端に接続された前記１つのキャパシタは、前記横方向において隣り合う前記他方のコイルの前記一端に接続されている
ノイズフィルタを提供する。
【００１９】
また、本発明は、第１３のノイズフィルタとして、第１から第１２までのいずれかのノイズフィルタであって、
前記ノイズフィルタは、シールドケースを備えており、
前記フィルタ回路は、前記シールドケースの内部に収容されている
ノイズフィルタを提供する。
【発明の効果】
【００２０】
本発明のノイズフィルタは、互いに直列に接続された２以上のＬＣフィルタを備えている。本発明によれば、所定方向に沿って隣り合う２つのＬＣフィルタの２つのコアにおける励磁方向は、互いに異なっている。励磁方向が互いに異なっているため、２つのコアに生じた磁束は、互いに打ち消し合う。この結果、ノイズフィルタの外部への漏洩磁束を低減できる。即ち、本発明によれば、互いに直列に接続された２以上のＬＣフィルタを備えるノイズフィルタであって、漏洩磁束を低減可能なノイズフィルタを提供できる。
【図面の簡単な説明】
【００２１】
【図１】本発明の実施の形態によるノイズフィルタを示す斜視図である。ノイズフィルタは、電源と負荷との間に接続されている。ノイズフィルタに対する電源、負荷及び電線の接続関係を破線で描画している。
【図２】図１のノイズフィルタを、シールドケースを外して示す斜視図である。インダクタのコイルは、各巻線を描画せず概略形状を描画している。インダクタのコアの輪郭を破線で描画している。ノイズフィルタに対する電源、負荷及び電線の接続関係を１点鎖線で描画している。
【図３】図２のノイズフィルタのフィルタ回路のうちの１つにおけるインダクタを示す斜視図である。図２で描画したコイルの概略形状を破線で描画している。インダクタに対する基板の導電パターンの接続関係と、キャパシタの接続関係とを１点鎖線で描画している。
【図４】図２のノイズフィルタの基板を、ノイズフィルタの使用時に生じる磁束と共に示す平面図である。インダクタのコア及びキャパシタの輪郭を破線で描画している。基板に対する電源、負荷及び電線の接続関係を１点鎖線で描画している。
【図５】図１のノイズフィルタを示す回路図である。
【図６】図５の回路図を、より詳細に示す回路図である。
【図７】図６の回路図の変形例を示す回路図である。
【図８】図２のノイズフィルタの変形例を示す斜視図である。インダクタのコイルは、各巻線を描画せず概略形状を描画している。インダクタのコアの輪郭を破線で描画している。ノイズフィルタに対する電源、負荷及び電線の接続関係を１点鎖線で描画している。
【図９】図８のノイズフィルタのフィルタ回路のうちの１つにおけるインダクタを示す斜視図である。図８で描画したコイルの概略形状を破線で描画している。インダクタに対する基板の導電パターンの接続関係を１点鎖線で描画している。
【図１０】図９のノイズフィルタの基板を、ノイズフィルタの使用時に生じる磁束と共に示す平面図である。インダクタのコア及びキャパシタの輪郭を破線で描画している。基板に対する電源、負荷及び電線の接続関係を１点鎖線で描画している。
【発明を実施するための形態】
【００２２】
図１を参照すると、本発明の実施の形態によるノイズフィルタ１０は、電線８４，８６に生じるノーマルモードノイズを除去するための装置である。本実施の形態の電線８４，８６は、電源８０が生成した交流電流を負荷８２に供給する電力線である。電線８４，８６の一部は、電源８０とノイズフィルタ１０とを互いに接続しており、電線８４，８６の他の一部は、ノイズフィルタ１０と負荷８２とを互いに接続している。電源８０が生成した交流電流は、ノイズフィルタ１０を経由して負荷８２に供給され、負荷８２に供給された交流電流は、ノイズフィルタ１０を経由して電源８０に戻る。
【００２３】
本実施の形態のノイズフィルタ１０は、比較的低周波数の電力電流に生じる比較的高周波数のノイズを除去するためのローパスフィルタである。また、本実施の形態のノイズフィルタ１０は、単相の電力線に接続されている。但し、本発明は、これに限られず、様々なノイズフィルタに適用可能である。例えば、ノイズフィルタ１０は、三相の電力線に接続されていてもよいし、直流の電力線に接続されていてもよい。
【００２４】
図２を参照すると、本実施の形態のノイズフィルタ１０は、基板７０と、２つのフィルタ回路２０とを備えている。本実施の形態の基板７０は、プリント配線基板である。基板７０には、導電体からなる様々な形状の導電パターン７０２が形成されている。フィルタ回路２０の夫々は、基板７０上に形成されており、基板７０の導電パターン７０２と共にローパスフィルタとして機能する。
【００２５】
図１及び図２を参照すると、本実施の形態のノイズフィルタ１０は、基板７０及びフィルタ回路２０に加えて、金属製のシールドケース７２と、底部材７４とを備えている。基板７０は、底部材７４に固定されており、上下方向（Ｚ方向）において底部材７４の上方（＋Ｚ側）に位置している。シールドケース７２は、底部材７４に上方から取り付けられており、フィルタ回路２０及び基板７０を殆ど完全に覆っている。
【００２６】
本実施の形態のノイズフィルタ１０は、上述の構造を有している。フィルタ回路２０は、シールドケース７２の内部に収容されており、これにより、シールドケース７２は、フィルタ回路２０の使用時に生じうる漏洩磁束をシールドしている。但し、ノイズフィルタ１０が基板７０と、基板７０上に形成されたフィルタ回路２０とを備えている限り、ノイズフィルタ１０の構造は、特に限定されない。例えば、シールドケース７２は、必要に応じて設ければよい。一方、ノイズフィルタ１０は、上述の部材に加えて、更に別の部材を備えていてもよい。
【００２７】
以下、本実施の形態の基板７０について説明する。
【００２８】
図４を参照すると、本実施の形態の基板７０には、８つの導電パターン７０２が形成されている。８つの導電パターン７０２は、基板７０の上面（＋Ｚ側の面）に形成されており、互いに離れている。８つの導電パターン７０２は、２つのパターンセット７０２Ｓに分かれている。パターンセット７０２Ｓの夫々は、４つの導電パターン７０２を含んでいる。パターンセット７０２Ｓの夫々における４つの導電パターン７０２は、Ｚ方向と直交する前後方向（Ｘ方向）に沿って１列に並んでいる。２つのパターンセット７０２Ｓは、Ｘ方向及びＺ方向の双方と直交する横方向（Ｙ方向）に並んでおり、Ｙ方向と直交する垂直面（ＸＺ平面）について面対象な構造を有している。
【００２９】
本実施の形態のパターンセット７０２Ｓの夫々には、フィルタ回路２０の回路素子（後述）を導電パターン７０２に接続するための接続点（３つの第１接続点７０４、３つの第２接続点７０６及び３つの第３接続点７０８）が形成されている。パターンセット７０２Ｓの夫々における４つの導電パターン７０２を、所定方向（＋Ｘ方向）に沿って第１から第４までの導電パターン７０２と規定すると、第１の導電パターン７０２には、１つの第１接続点７０４及び１つの第３接続点７０８が形成されており、第２の導電パターン７０２には、１つの第１接続点７０４、１つの第２接続点７０６及び１つの第３接続点７０８が形成されており、第３の導電パターン７０２には、１つの第１接続点７０４、１つの第２接続点７０６及び１つの第３接続点７０８が形成されており、第４の導電パターン７０２には、１つの第２接続点７０６が形成されている。
【００３０】
図２及び図４を参照すると、本実施の形態の基板７０は、上述の構造を有している。但し、基板７０の構造は、本実施の形態に限定されず、フィルタ回路２０の構造に応じて様々に変形可能である。
【００３１】
図２を参照すると、本実施の形態の２つのフィルタ回路２０は、基板７０の２つのパターンセット７０２Ｓに夫々対応して設けられている。以下、２つのフィルタ回路２０のうちの１つについて、対応するパターンセット７０２Ｓを含めて説明する。以下の説明は、フィルタ回路２０の夫々について成立する。
【００３２】
図２及び図５を参照すると、本実施の形態のフィルタ回路２０は、３つのＬＣフィルタ２２を含んでいる。３つのＬＣフィルタ２２は、互いに直列に接続されている。即ち、本実施の形態のフィルタ回路２０は、３段のＬＣフィルタ２２からなるローパスフィルタである。但し、本発明は、これに限られず、フィルタ回路２０は、互いに直列に接続された２以上のＬＣフィルタ２２を含んでいればよい。
【００３３】
図２を参照すると、ＬＣフィルタ２２の夫々は、コア３０と、コイル４０と、キャパシタ２６とを備えている。即ち、本実施の形態のフィルタ回路２０の回路素子は、３つのコア３０、３つのコイル４０、及び、３つのキャパシタ２６である。但し、本発明は、これに限られない。例えば、フィルタ回路２０は、上述した回路素子に加えて、別の回路素子を更に備えていてもよい。
【００３４】
図３を参照すると、ＬＣフィルタ２２の夫々において、コイル４０は、コア３０に巻回されており、これにより、インダクタ２４が形成されている。即ち、ＬＣフィルタ２２の夫々は、コア３０及びコイル４０からなる１つのインダクタ２４を備えている。
【００３５】
図３を参照すると、本実施の形態のコア３０の夫々は、軟磁性体からなり、トロイダル形状を有している。詳しくは、コア３０の夫々は、所定平面（図３においてＹＺ平面）において円環形状を有している。コア３０の夫々には、所定平面においてコア３０の中心に位置する中心孔３２と、所定平面におけるコア３０の外縁を規定する外周３８とが形成されている。このようなトロイダル形状のコア３０を使用することで、フィルタ回路２０の使用時にインダクタ２４に生じる磁束３０ＦＸ（図４参照）の漏洩を効果的に低減できる。但し、本発明は、これに限られない。例えば、コア３０の夫々は、Ｃ字形状を有していてもよいし、Ｉ形状を有していてもよい。
【００３６】
図２及び図３を参照すると、３つのＬＣフィルタ２２のコア３０は、所定方向に沿って並んでいる。本実施の形態の所定方向は、前後方向（Ｘ方向）に沿って前方（−Ｘ側）から後方（＋Ｘ側）に向かって伸びる＋Ｘ方向である。但し、本発明は、これに限られない。例えば、−Ｘ方向を所定方向として規定してもよい。
【００３７】
本実施の形態のコア３０は、＋Ｘ方向（所定方向）に沿って一直線に並んでいる。換言すれば、Ｙ方向及びＺ方向の夫々における３つのコア３０の位置は、互いに同じである。但し、本発明は、これに限られない。例えば、Ｙ方向における３つのコア３０の位置は、互いに異なっていてもよい。より具体的には、コア３０は、所定方向に沿ってジグザグに並んでいてもよい。
【００３８】
図３を参照すると、コイル４０の夫々は、巻回部４２と、２つの端子部４４とを有している。巻回部４２の夫々は、絶縁体によって被覆された被覆導線である。ＬＣフィルタ２２の夫々において、巻回部４２は、コア３０に巻回されている。本実施の形態の端子部４４の夫々は、巻回部４２を形成する被覆導線の両端部であり、巻回部４２から下方（−Ｚ方向）に引き出されている。即ち、本実施の形態のコイル４０の夫々は、互いに一体に形成された巻回部４２と２つの端子部４４とを有している。但し、本発明は、これに限られない。例えば、端子部４４の夫々は、巻回部４２と別体に形成された後に溶接等によって巻回部４２に接続されていてもよい。
【００３９】
本実施の形態の巻回部４２の夫々は、比較的太い丸線からなり、コア３０に疎に巻回されている。また、巻回部４２の夫々は、コア３０の外周３８を一周するように巻回されている。但し、本発明は、これに限られず、巻回部４２の夫々は、コア３０の形状及びインダクタ２４として必要な特性に応じた巻回方法によって巻回されていればよい。例えば、巻回部４２の夫々は、細線からなっていてもよく、コア３０に密に巻回されていてもよい。
【００４０】
コイル４０の夫々は、第１端４６と、第２端４８とを有している。第１端４６は、２つの端子部４４のうちの一方の先端であり、第２端４８は、２つの端子部４４のうちの他方の先端である。「第１端４６」及び「第２端４８」の名称は、＋Ｘ方向を所定方向と規定した上で、３つのコイル４０の合計６つの先端の接続関係を説明するために付与した名称に過ぎない。以下の説明は、−Ｘ方向を所定方向と規定した上で、「第１端４６」及び「第２端４８」を「第２端４８」及び「第１端４６」に夫々変更し、且つ、「第１接続点７０４」及び「第２接続点７０６」を「第２接続点７０６」及び「第１接続点７０４」に夫々変更しても成立する。
【００４１】
本実施の形態のＬＣフィルタ２２の夫々において、第１端４６及び第２端４８の夫々は、巻回部４２から引き出されて基板７０に接続されている。詳しくは、フィルタ回路２０における３つのコイル４０の第１端４６は、基板７０のパターンセット７０２Ｓにおける３つの第１接続点７０４と夫々対応しており、フィルタ回路２０の夫々における３つのコイル４０の第２端４８は、基板７０のパターンセット７０２Ｓにおける３つの第２接続点７０６と夫々対応している。コイル４０の夫々の第１端４６は、対応する第１接続点７０４に接続されており、コイル４０の夫々の第２端４８は、対応する第２接続点７０６に接続されている。
【００４２】
図４を参照すると、パターンセット７０２Ｓの４つの導電パターン７０２を、＋Ｘ方向（所定方向）に沿って第１から第４までの導電パターン７０２と規定すると、第１接続点７０４を有する第１の導電パターン７０２及び第２接続点７０６を有する第４の導電パターン７０２の夫々は、水平面（ＸＹ平面）において矩形形状を有している。
【００４３】
一方、第３の導電パターン７０２のＹ方向外側の部位（外側部）には、凹部７０３が形成されている。凹部７０３は、外側部のＸ方向における中間部に位置しており、Ｙ方向内側に凹んでいる。第３の導電パターン７０２において、第２接続点７０６、凹部７０３及び第１接続点７０４は、所定方向に沿って、この順に並んでいる。第２の導電パターン７０２は、第２接続点７０６がＸ方向において第１の導電パターン７０２と第３の導電パターン７０２との間に位置し、且つ、第１接続点７０４が凹部７０３の内側に位置するように形成されている。
【００４４】
本実施の形態のフィルタ回路２０及びパターンセット７０２Ｓは、上述の構造を有している。この構造により、ノイズフィルタ１０を使用する際、電流は、電源８０から負荷８２まで、第１接続点７０４及び第２接続点７０６を交互に通過して流れ、負荷８２から電源８０まで、第２接続点７０６及び第１接続点７０４を交互に通過して流れる。換言すれば、３つの第１接続点７０４及び３つの第２接続点７０６は、電流の流れに沿って交互に並んでいる。一方、３つの第１接続点７０４及び３つの第２接続点７０６は、＋Ｘ方向（所定方向）に沿って交互に並んでいない。即ち、図３を参照すると、３つのコイル４０の第１端４６及び第２端４８は、電流の流れに沿って交互に並んでいる一方、所定方向に沿って交互に並んでいない。
【００４５】
図３を図６と併せて参照すると、ＬＣフィルタ２２の夫々において、キャパシタ２６は、コイル４０の一端に接続されている。本実施の形態のＬＣフィルタ２２の夫々において、キャパシタ２６は、基板７０の第３接続点７０８に接続されており、これにより、基板７０の導電パターン７０２及び第１接続点７０４を介して、コイル４０の第１端４６に接続されている。即ち、本実施の形態のキャパシタ２６の夫々は、コイル４０の一端に、他の導電部材を介して間接的に接続されている。但し、本発明は、これに限られない。例えば、キャパシタ２６の夫々は、コイル４０の一端に直接的に接続されていてもよい。
【００４６】
図２を図３と併せて参照すると、本実施の形態のキャパシタ２６の夫々は、ノイズサプレッションキャパシタである。キャパシタ２６の夫々は、パターンセット７０２Ｓを他のパターンセット７０２Ｓに接続しており、これにより、２つのパターンセット７０２Ｓの間に生じうるノイズを低減できる。但し、本発明におけるキャパシタ２６のタイプは、本実施の形態に限定されない。
【００４７】
図３を図６と併せて参照すると、本実施の形態のキャパシタ２６の夫々は、コイル４０の第１端４６及び第２端４８のうち、電流の流れに沿って負荷８２よりも電源８０に近い方の端である第１端４６に接続されている。但し、本発明は、これに限られず、キャパシタ２６の接続位置は、必要に応じて変形可能である。
【００４８】
上述したように、本実施の形態によれば、＋Ｘ方向（所定方向）に沿った第１端４６及び第２端４８の並び順は、電流の流れに沿った第１端４６及び第２端４８の並び順と異なっている。以下、この並び順の相違について、詳しく説明する。
【００４９】
図３及び図６を参照すると、本実施の形態のフィルタ回路２０の夫々において、３つのコイル４０は、２つの順コイル４０Ｎと、１つの逆コイル４０Ｒとを含んでいる。順コイル４０Ｎの巻回部４２と逆コイル４０Ｒの巻回部４２とは、＋Ｘ方向（所定方向）において互いに隣り合っている。
【００５０】
上述した並び順の相違に起因して、逆コイル４０Ｒの電流は、順コイル４０Ｎの電流に対して逆向きに流れる。詳しくは、順コイル４０Ｎの第１端４６と第２端４８との間を流れる電流の方向は、逆コイル４０Ｒの第１端４６と第２端４８との間を流れる電流の方向と逆向きである。例えば、順コイル４０Ｎの電流が全体として＋Ｘ方向（所定方向）に沿って流れるとき、逆コイル４０Ｒの電流は、全体として所定方向の反対方向（−Ｘ方向）に沿って流れる。本実施の形態によれば、逆コイル４０Ｒの電流は、順コイル４０Ｎの電流に対して完全に反対方向に流れる。但し、本発明は、これに限られず、逆コイル４０Ｒの電流は、順コイル４０Ｎの電流に対して異なった方向に流れればよい。例えば、逆コイル４０Ｒの電流は、順コイル４０Ｎの電流に対して略逆向きの方向に流れてもよいし、順コイル４０Ｎの電流に対して略直交する方向に流れてもよい。
【００５１】
図３を図４と併せて参照すると、フィルタ回路２０の使用時にコイル４０の夫々に電流が流れると、コア３０は、励磁される。より具体的には、インダクタ２４の夫々に磁束３０ＦＸが生じる。また、上述したように、＋Ｘ方向（所定方向）に沿って互いに隣り合う２つのＬＣフィルタ２２において、電流の流れる方向は、互いに異なっている。この結果、所定方向において互いに隣り合う２つのＬＣフィルタ２２の２つのコア３０における励磁方向（即ち、磁束３０ＦＸの延びる方向）は、互いに異なっている。励磁方向が互いに異なっているため、２つのコア３０に生じた磁束３０ＦＸに起因する漏洩磁束は、互いに打ち消し合う。この結果、ノイズフィルタ１０の外部への漏洩磁束を低減できる。即ち、本実施の形態によれば、互いに直列に接続された２以上のＬＣフィルタ２２を備えるノイズフィルタ１０であって、漏洩磁束を低減可能なノイズフィルタ１０を提供できる。
【００５２】
図４を参照すると、本実施の形態によれば、＋Ｘ方向（所定方向）において互いに隣り合う２つのコア３０における励磁方向は、互いに逆向きである。詳しくは、２つのコア３０を所定方向に沿ってみたとき、一方の励磁方向は、時計方向であり、他方の励磁方向は、反時計方向である。励磁方向を互いに逆向きにすることで、打ち消し合う漏洩磁束の量を大きくできる。即ち、ノイズフィルタ１０（図１参照）の外部への漏洩磁束を、より効果的に低減できる。但し、本発明は、これに限られず、所定方向において互いに隣り合う２つのコア３０における励磁方向は、互いに異なっていればよい。一方、漏洩磁束をできるだけ効果的に低減するという観点から、本実施の形態が好ましい。
【００５３】
図３を図２と併せて参照すると、本実施の形態のコア３０は、製造公差に起因する相違を除き、互いに同じトロイダル形状を有しており、基板７０に対して互いに同じ姿勢を取るようにして、＋Ｘ方向（所定方向）に沿って並んでいる。即ち、コア３０は、実質的に互いに同じ形状を有しており、基板７０に対して実質的に互いに同じ姿勢を取っている。
【００５４】
詳しくは、本実施の形態のコア３０の夫々は、トロイダル形状の外周３８を基板７０に向けた姿勢を取っている。特に、本実施の形態のコア３０の夫々は、トロイダル形状の外周３８のみを基板７０に向けた直立姿勢を取っている。加えて、コア３０の夫々の中心孔３２は、所定方向に沿って延びている。この直立姿勢によれば、漏洩磁束を、より効果的に低減できる。但し、本発明は、これに限られない。例えば、コア３０の夫々は、トロイダル形状の外周３８を基板７０に向けつつ、中心孔３２を部分的に基板７０に向けた傾斜姿勢を取っていてもよい。また、コア３０は、互いに異なる形状を有していてもよいし、互いに異なる姿勢を取っていてもよい。
【００５５】
図３を参照すると、本実施の形態のフィルタ回路２０の夫々は、互いに直列に接続されたＬＣフィルタ２２を３つのみ有している。但し、本発明は、これに限られない。フィルタ回路２０は、互いに直列に接続された３以上のＬＣフィルタ２２を有していてもよいし、互いに直列に接続されたＬＣフィルタ２２を２つのみ有していてもよい。いずれの場合も、フィルタ回路２０の夫々において、コイル４０は、少なくとも１つの順コイル４０Ｎと、少なくとも１つの逆コイル４０Ｒとを含んでいる。
【００５６】
互いに隣接する順コイル４０Ｎの巻回部４２と逆コイル４０Ｒの巻回部４２とは、＋Ｘ方向（所定方向）において、この順に並んでいてもよい。この場合、順コイル４０Ｎの第１端４６と、順コイル４０Ｎの第２端４８と、逆コイル４０Ｒの第２端４８と、逆コイル４０Ｒの第１端４６とは、所定方向において、この順に並んでいる。加えて、順コイル４０Ｎの第２端４８は、逆コイル４０Ｒの第１端４６に接続されている。
【００５７】
互いに隣接する逆コイル４０Ｒの巻回部４２と順コイル４０Ｎの巻回部４２とは、＋Ｘ方向（所定方向）において、この順に並んでいてもよい。この場合、逆コイル４０Ｒの第２端４８と、逆コイル４０Ｒの第１端４６と、順コイル４０Ｎの第１端４６と、順コイル４０Ｎの第２端４８とは、所定方向において、この順に並んでいる。加えて、逆コイル４０Ｒの第２端４８は、順コイル４０Ｎの第１端４６に接続されている。
【００５８】
フィルタ回路２０が３以上のＬＣフィルタ２２を有している場合、漏洩磁束をできるだけ効果的に低減するという観点から、＋Ｘ方向（所定方向）において互いに隣り合う２つのコア３０のいずれにおいても、励磁方向は、互いに異なっていることが好ましく、励磁方向は、互いに逆向きであることが更に好ましい。また、フィルタ回路２０が３以上のＬＣフィルタ２２を有している場合、コア３０の全ては、製造公差に起因する相違を除き、互いに同じ形状を有しており、基板７０（図２参照）に対して互いに同じ姿勢を取るようにして所定方向に沿って並んでいることが更に好ましい。即ち、コア３０の全ては、実質的に同じ形状を有しており、基板７０に対して実質的に同じ姿勢を取るようにして所定方向に沿って並んでいることが好ましい。
【００５９】
図３及び図４を参照すると、本実施の形態によれば、インダクタ２４に生じる磁束３０ＦＸの量が互いに異なっていても、漏洩磁束を低減できる。但し、漏洩磁束をできるだけ効果的に低減するという観点から、インダクタ２４に生じる磁束３０ＦＸの量は、互いに同じであることが好ましい。
【００６０】
図２を参照すると、本実施の形態のノイズフィルタ１０は、フィルタ回路２０を２つのみ備えている。フィルタ回路２０の夫々は、以上に説明したように、漏洩磁束を低減するための構造を有している。２つのフィルタ回路２０は、Ｙ方向において互いに並んでおり、＋Ｘ方向（所定方向）に沿って互いに並行に延びるように配置されている。詳しくは、２つのフィルタ回路２０のうちの一方の３つのインダクタ２４は、２つのフィルタ回路２０のうちの他方の３つのインダクタ２４とＹ方向において夫々並んでいる。また、２つのフィルタ回路２０には、互いに逆向きの電流が流れる。例えば、２つのフィルタ回路２０のうちの一方に電源８０から負荷８２に向かう電流が流れるとき、２つのフィルタ回路２０のうちの他方には、負荷８２から電源８０に向かう電流が流れる。
【００６１】
図４を参照すると、本実施の形態によれば、Ｙ方向において並んでいる２つのコア３０の励磁方向は、互いに異なっている。この構造により、２つのコア３０に生じた磁束３０ＦＸに起因する漏洩磁束は、互いに打ち消し合い、これにより、漏洩磁束を低減できる。特に、本実施の形態によれば、Ｙ方向において並んでいる２つのコア３０の励磁方向は、互いに逆向きであり、これにより、漏洩磁束を、より効果的に低減できる。但し、本発明は、これに限られない。例えば、２つのフィルタ回路２０は、互いに独立に動作するローパスフィルタであってもよい。この場合、２つのフィルタ回路２０には、互いに同じ向きの電流が流れてもよい。
【００６２】
また、図７を参照すると、ノイズフィルタ１０（図６参照）は、図示したノイズフィルタ１０Ａのように変形してもよい。この変形例によるノイズフィルタ１０Ａは、フィルタ回路２０を１つのみ備えている。
【００６３】
図６を図２と併せて参照すると、本実施の形態によれば、Ｙ方向において互いに並んでいる２つのフィルタ回路２０において、フィルタ回路２０のうちの一方の３つのコイル４０は、フィルタ回路２０のうちの他方の３つのコイル４０と、Ｙ方向において夫々隣り合っている。一方のコイル４０を備えたＬＣフィルタ２２の夫々は、Ｙ方向において隣り合う他方のコイル４０を備えたＬＣフィルタ２２と、１つのキャパシタ２６を共有している。より具体的には、一方のコイル４０の夫々の一端（第１端４６）に接続された１つのキャパシタ２６は、Ｙ方向において隣り合う他方のコイル４０の一端（第１端４６）に接続されている。本実施の形態によれば、キャパシタ２６の数を低減しつつ、漏洩磁束を低減できる。但し、本発明は、これに限られない。例えば、フィルタ回路２０の夫々のキャパシタ２６は、他のフィルタ回路２０に接続されることなくグランドされていてもよい。
【００６４】
図２を参照すると、ノイズフィルタ１０は、２以上の（例えば、３つの）フィルタ回路２０を備えていてもよい。この場合、２以上のフィルタ回路２０は、本実施の形態と同様に、Ｙ方向において互いに並んでいてもよい。
【００６５】
本実施の形態は、既に説明した変形例に加えて、更に様々に変形可能である。
【００６６】
図８を図２と比較すると、変形例によるノイズフィルタ１０Ｂは、フィルタ回路２０と異なる２つのフィルタ回路２０Ｂを備えていることを除き、ノイズフィルタ１０と同じ構造を有している。フィルタ回路２０Ｂの夫々は、ＬＣフィルタ２２と異なる３つのＬＣフィルタ２２Ｂを備えている。３つのＬＣフィルタ２２Ｂは、互いに直列に接続されている。ＬＣフィルタ２２Ｂの夫々は、インダクタ２４と異なるインダクタ２４Ｂを備えていることを除き、ＬＣフィルタ２２と同じ構造を有している。インダクタ２４Ｂは、インダクタ２４と同じコア３０と、インダクタ２４のコイル４０と異なるコイル４０Ｂとを備えている。
【００６７】
より具体的には、図９を図３と比較すると、コイル４０Ｂの巻回部４２は、コイル４０と同様にコア３０に巻回されている。但し、図９を図８と併せて参照すると、インダクタ２４Ｂのコア３０の夫々は、トロイダル形状の中心孔３２を基板７０に向けた平置き姿勢を取っている。この結果、コイル４０Ｂの端子部４４は、巻回部４２から、中心孔３２が延びる方向と並行に引き出されている。図８を図２と比較すると、本変形例のように配置されたインダクタ２４Ｂは、上述した実施の形態のように配置されたインダクタ２４に比べて、より安定的に基板７０に接続されている。即ち、本変形例のインダクタ２４Ｂは、ノイズフィルタ１０Ｂに衝撃が加えられた場合にも破損し難い。
【００６８】
図１０を参照すると、本変形例によるコア３０の励磁方向は、Ｚ方向に沿って見たとき、基板７０と並行な時計回り方向及び反時計回り方向のいずれか一方である。また、＋Ｘ方向（所定方向）において互いに隣り合う２つのコア３０における励磁方向は、互いに異なっている。本変形例によれば、衝撃によるインダクタ２４Ｂの破損を防止しつつ、前述した実施の形態と同様に漏洩磁束を低減できる。
【００６９】
図４及び図１０を参照すると、パターンセット７０２Ｓの夫々における４つの導電パターン７０２は、＋Ｘ方向（所定方向）に沿って第１から第４までの導電パターン７０２と規定できる。上述した実施の形態及び変形例によれば、第２及び第３の導電パターン７０２は、第３の導電パターン７０２の第２接続点７０６と第２の導電パターン７０２の第１接続点７０４とが所定方向に沿ってこの順に並ぶようにして、変形されている。図３及び図９を参照すると、この変形によって、逆コイル４０Ｒを流れる電流の方向は、順コイル４０Ｎを流れる電流の方向に対して逆方向になる。
【００７０】
但し、本発明は、これに限られない。例えば、第２及び第３の導電パターン７０２を変形することなく、逆コイル４０Ｒを流れる電流の方向を、順コイル４０Ｎを流れる電流の方向に対して逆方向にしてもよい。より具体的には、逆コイル４０Ｒにおいて、第２端４８が第１端４６の後方に位置するようにして、２つの端子部４４をＸ方向において交差させてもよい。
【符号の説明】
【００７１】
１０，１０Ａ，１０Ｂ    ノイズフィルタ
２０，２０Ｂ            フィルタ回路
２２，２２Ｂ            ＬＣフィルタ
２４，２４Ｂ            インダクタ
２６                    キャパシタ
３０                    コア
３０ＦＸ                磁束
３２                    中心孔
３８                    外周
４０，４０Ｂ            コイル
４０Ｎ                  順コイル
４０Ｒ                  逆コイル
４２                    巻回部
４４                    端子部
４６                    第１端
４８                    第２端
７０                    基板
７０２                  導電パターン
７０２Ｓ                パターンセット
７０３                  凹部
７０４                  第１接続点
７０６                  第２接続点
７０８                  第３接続点
７２                    シールドケース
７４                    底部材
８０                    電源
８２                    負荷
８４，８６              電線
【図１】
2022002369.tif 000003
【図２】
2022002369.tif 000004
【図３】
2022002369.tif 000005
【図４】
2022002369.tif 000006
【図５】
2022002369.tif 000007
【図６】
2022002369.tif 000008
【図７】
2022002369.tif 000009
【図８】
2022002369.tif 000010
【図９】
2022002369.tif 000011
【図１０】
2022002369.tif 000012